(57)【特許請求の範囲】
【請求項１】
印刷ジョブを実行していない待機状態になったときの定着温度条件を設定可能な複数の印刷装置のいずれかへ印刷ジョブを振り分ける情報処理装置であって、
振り分けるべき印刷ジョブの定着温度条件を解析する第１解析手段と、
前記印刷装置の印刷キューの最終ジョブの定着温度条件を解析する第２解析手段と、
前記第１解析手段の解析結果を前記第２解析手段の解析結果と比較する比較手段と、
前記比較手段の比較結果に基づいて、前記振り分けるべき印刷ジョブの振り分け先を決定する振り分け手段と
を有することを特徴とする情報処理装置。
【請求項２】
前記比較手段は、前記振り分けるべき印刷ジョブを、印刷キューの最後の印刷ジョブが前記該振り分けるべき印刷ジョブと同じ定着温度条件を有する印刷装置へ振り分けることを特徴とする請求項１記載の情報処理装置。
【請求項３】
印刷ジョブを実行していない待機状態になったときの定着温度条件を設定可能な複数の印刷装置のいずれかへ印刷ジョブを振り分ける印刷ジョブ振り分け方法であって、
振り分けるべき印刷ジョブの定着温度条件を解析する第１解析ステップと、
前記印刷装置の印刷キューの最終ジョブの定着温度条件を解析する第２解析ステップと、
前記第１解析ステップの解析結果を前記第２解析ステップの解析結果と比較する比較ステップと、
前記比較ステップの比較結果に基づいて、前記振り分けるべき印刷ジョブの振り分け先を決定する振り分けステップと
を有することを特徴とする印刷ジョブ振り分け方法。
【請求項４】
前記比較ステップは、前記振り分けるべき印刷ジョブを、印刷キューの最後の印刷ジョブが前記該振り分けるべき印刷ジョブと同じ定着温度条件を有する印刷装置へ振り分けることを特徴とする請求項３記載の印刷ジョブ振り分け方法。
【請求項５】
コンピュータに、印刷ジョブを実行していない待機状態になったときの定着温度条件を設定可能な複数の印刷装置のいずれかへ印刷ジョブを振り分ける印刷ジョブ振り分け方法を実行させるためのコンピュータプログラムであって、
該コンピュータプログラムはコンピュータに、
振り分けるべき印刷ジョブの定着温度条件を解析する第１解析ステップと、
前記印刷装置の印刷キューの最終ジョブの定着温度条件を解析する第２解析ステップと、
前記第１解析ステップの解析結果を前記第２解析ステップの解析結果と比較する比較ステップと、
前記比較ステップの比較結果に基づいて、前記振り分けるべき印刷ジョブの振り分け先を決定する振り分けステップと
を実行させることを特徴とするコンピュータプログラム。
【請求項６】
コンピュータに、印刷ジョブを実行していない待機状態になったときの定着温度条件を設定可能な複数の印刷装置のいずれかへ印刷ジョブを振り分ける印刷ジョブ振り分け方法を実行させるためのコンピュータプログラムを記憶したコンピュータ読み取り可能な記憶媒体であって、
該コンピュータプログラムはコンピュータに、
振り分けるべき印刷ジョブの定着温度条件を解析する第１解析ステップと、
前記印刷装置の印刷キューの最終ジョブの定着温度条件を解析する第２解析ステップと、
前記第１解析ステップの解析結果を前記第２解析ステップの解析結果と比較する比較ステップと、
前記比較ステップの比較結果に基づいて、前記振り分けるべき印刷ジョブの振り分け先を決定する振り分けステップと
を実行させることを特徴とするコンピュータ読み取り可能な記憶媒体。
【発明の詳細な説明】
【技術分野】
【０００１】
本発明は、情報処理装置、印刷ジョブ振り分け方法、コンピュータプログラム、記憶媒体に関する。
【背景技術】
【０００２】
近年、Ｃ、Ｍ、Ｙ、Ｋを用いた４色のトナーを用いた電子写真印刷によるフルカラー印刷だけではなく、さらに特殊なトナーを用いた多色の印刷方式も注目を集めている。具体的には、特殊なトナーの一例として、クリアトナーを使用した印刷が注目されている。
【０００３】
クリアトナーを用いた印刷としては、印刷物の全面にクリアトナーを一律に印刷し、印刷物の光沢感を上げることが一般的に行われている。
【０００４】
実際に、クリアトナーを用いて光沢感を上げた印刷物を生成する方法としては、初回に印刷装置にてＣ、Ｍ、Ｙ、Ｋ、クリアトナーの５色を低定着温度で定着する。そして、二回目にグロッサと呼ばれる専用装置にて再定着を行う方式が取られる。
【０００５】
ここで、低定着温度で定着するためには、通常１８０〜１９０度を保っている定着装置を４０度ほど低下させる必要があるが、通常、印刷装置は冷却するための冷却装置は装備していない。そのため、クリアトナーを用いて光沢感を上げた印刷物を生成するためには、定着装置の冷却が自然放熱にて行われる都合上、ジョブの開始が、通常７〜１０分ほど待たされることになる。
【０００６】
そのため、生産性を求められる商用印刷などにおいてクリアトナーを用いる場合は、複数台の印刷装置で印刷ジョブを分散することで、上記の待ち時間が生産性の低下に直結しないようにする運用形態が考えられる。
【０００７】
ここで、印刷装置へ印刷ジョブを振り分ける方法として、過去、さまざまな方法が提案されている。たとえば特許文献１の方法は、１ジョブ内に白黒ページとカラーページが混在していた場合に、自動的にカラーページをカラー印刷装置へ、また、白黒ページを白黒印刷装置へ振り分けるものである。
【０００８】
次に、特許文献２の方法は、プリントジョブに起因する負荷を複数のプリンタで分担するものである。具体的には、他プリンタのジョブ処理の累計予測時間と他プリンタの最終ジョブを自プリンタで実行した場合の累計予測時間とを比較し、自プリンタで処理したほうが早いと判断した場合は、他プリンタのジョブを自プリンタで印刷する。
【０００９】
さらに、特許文献３の方法は、複数部数の印刷物を複数のプリンタを使って分散印刷する方法である。分散印刷する際、ジョブの終了時間が一番短くなる台数分のプリンタを計算して、その台数分のプリンタで印刷する。
【特許文献１】特開２０００−１１２６８８
【特許文献２】特開２００６−３０９６２５
【特許文献３】特開２００７−２４１４７６
【発明の開示】
【発明が解決しようとする課題】
【００１０】
しかしながら、上述した従来の技術では、いずれもジョブとジョブの間の待ち時間を考慮していないため、開始に時間がかかるジョブを振り分ける場合には、上手く対応できないと言う課題があった。
【００１１】
さらに、特許文献１の方法は、１ジョブ内のページを白黒もしくはカラー専用の印刷装置に振り分けるものであり、印刷装置の役割が固定的であるため、印刷装置の利用効率が悪い。また、１ジョブ内のページが複数の印刷装置に振り分けられるため、最後に、マージする手間が生じるという課題がある。また、特許文献３の方法も、複数部の印刷物が複数台のプリンタに出力されるため、最後にマージする手間が生じる。
【課題を解決するための手段】
【００１２】
上述した課題を解決するため、本発明の情報処理装置は、印刷ジョブを実行していない待機状態になったときの定着温度条件を設定可能な複数の印刷装置のいずれかへ印刷ジョブを振り分ける情報処理装置であって、振り分けるべき印刷ジョブの定着温度条件を解析する第１解析手段と、前記印刷装置の印刷キューの最終ジョブの定着温度条件を解析する第２解析手段と、前記第１解析手段の解析結果を前記第２解析手段の解析結果と比較する比較手段と、前記比較手段の比較結果に基づいて、前記振り分けるべき印刷ジョブの振り分け先を決定する振り分け手段とを有することを特徴とする。
【００１３】
また、本発明の印刷ジョブ振り分け方法は、印刷ジョブを実行していない待機状態になったときの定着温度条件を設定可能な複数の印刷装置のいずれかへ印刷ジョブを振り分ける印刷ジョブ振り分け方法であって、振り分けるべき印刷ジョブの定着温度条件を解析する第１解析ステップと、前記印刷装置の印刷キューの最終ジョブの定着温度条件を解析する第２解析ステップと、前記第１解析ステップの解析結果を前記第２解析ステップの解析結果と比較する比較ステップと、前記比較ステップの比較結果に基づいて、前記振り分けるべき印刷ジョブの振り分け先を決定する振り分けステップとを有することを特徴とする。
【発明の効果】
【００１４】
本発明によれば、振り分けるべき印刷ジョブが必要とする定着温度と、印刷装置の印刷キューに登録されている最後の印刷ジョブの定着温度とに基づいて、印刷ジョブの振り分け先を決定することにより、印刷装置の定着温度変更による印刷処理待ち時間をなるべく発生しない様にすることができる。
【発明を実施するための最良の形態】
【００１５】
以下、図面を参照して、この発明の好適な実施形態を例示的に詳しく説明する。ただし、この実施形態に記載されている表示画面はあくまで例示であり、この発明の範囲をそれらにのみ限定する主旨のものではない。
【実施例１】
【００１６】
本発明の実施形態を説明する。
【００１７】
図１は、本発明の実施形態におけるシステム構成図である。本システムは、イントラネットなどのネットワークに情報処理装置ならびに印刷装置が接続されている。
【００１８】
本実施の形態の印刷システムにおいて、情報処理装置１０１は、印刷装置１０２と印刷装置１０３が待機状態になった時に、定着温度を高くしたまま待機するか、定着温度を低くしたまま待機するかを設定することができる。
【００１９】
さらに、ユーザは、情報処理装置１０１からクリアトナーを使い光沢感を出したい印刷物と、クリアトナーを用いない通常の印刷物を印刷装置にて出力することができる。また、情報処理装置１０１には自動代行印刷機能が備わっており、印刷ジョブと印刷装置１０２もしくは印刷装置１０３の定着温度条件に応じて、ジョブを振り分けることができる。
【００２０】
なお、本実施例において、クリアトナーを使い光沢感を出したい印刷物を生成する場合は、ユーザは、明示的に出力用紙にグロッサ用紙を指定する。
【００２１】
図１中、１０１は情報処理装置であり、印刷装置１０２もしくは印刷装置１０３へ電子データを印刷することができる。また、情報処理装置１０１は先述の代行印刷機能を保有しており、印刷装置１０２もしくは印刷装置１０３の装置状況やジョブ状況に応じて、ジョブを自動的に振り分けることができる。また、１０２および１０３は印刷装置であり、印刷データを受信し印刷用紙にプリントする機能を有する。また、１０４はネットワークであり、たとえば、イントラネットなどの社内ネットワークを表している。１０５はグロッサであり、印刷装置１０２もしくは印刷装置１０３で出力したクリアトナーを用いた印刷物に対して、再度、圧力と熱をかける装置である。そうすることで、印刷物に定着したトナーの表面を溶かして、印刷物の光沢感を引き出すことができる。
【００２２】
ここで、グロッサ１０５はオフラインフィニッシャであるため、情報処理装置１０１、印刷装置１０２、印刷装置１０３とはネットワーク的に独立な装置である。したがって、本発明の主旨であるジョブの振り分けには直接関係しないので、以後、ブロック図などの説明は省略する。
【００２３】
図２は、情報処理装置１０１概略構成を示すブロック図である。
【００２４】
図２において、２０１はコンピュータとしてのＣＰＵ（セントラルプロセッシングユニット）である。ＣＰＵ２０１は、ＲＯＭ２０７、ＨＤＤ２０９及びＣＤＤ２０６に格納された制御プログラムに基づいてＣＰＵデバイスに接続された各デバイスを制御する。
【００２５】
２０２は表示装置であり、その表示画面には、例えばウインドウ、アイコン、メッセージ、メニューその他のユーザインターフェース情報が表示される。２０３はＶＲＡＭ（ビデオランダムアクセスメモリ）であり、表示装置２０２に表示するための画像が描画される。このＶＲＡＭ２０３に生成された画像データは、所定の規定に従って表示装置２０２に転送され、これにより表示装置２０２に画像が表示される。
【００２６】
２０４はキーボードであり、文字入力を行うための各種キーを有する。２０５はＰＤ（ポインティングデバイス）であり、例えば、表示部２０２の表示画面上に表示されたアイコン、メニューその他のオブジェクトを指示するために使用される。
【００２７】
２０６はＣＤＤ（コンパクトディスクドライブ）であり、ＣＤ−ＲＯＭや、ＣＤ−Ｒなどの記録媒体との間で各種制御プログラムやデータの読み書きを行う装置である。これはＤＶＤドライブであってもよい。
【００２８】
２０７はＲＯＭ（リードオンリメモリ）であり、各種の制御プログラムやデータを保持する。２０８はＲＡＭ（ランダムアクセスメモリ）でありＣＰＵ２０１のワーク領域、エラー処理時のデータの退避領域、制御プログラムのロード領域等を有する。
【００２９】
２０９は内部記録装置としてのＨＤＤ（ハードディスクドライブ）であり、各種制御プログラムや各種データを保存する。２１０は外部記録Ｉ／Ｆであり、ＵＳＢメモリなどの外部記録媒体への読み書きを行う装置である。
【００３０】
２１１はネットワーク・インターフェース（Ｎｅｔ−Ｉ／Ｆ）であり、他の情報処理装置や印刷装置等とネットワーク２１２を介して通信を行うことができる。２１３はＣＰＵバスであり、アドレスバス、データバス及びコントロールバスを含む。ＣＰＵ２０１に対する制御プログラムの提供は、ＣＤＤ２０３、ＲＯＭ２０７、ＨＤＤ２０９から行うこともできるし、ネットワーク２１２を介して他の情報処理装置等から行うこともできる。
【００３１】
図３は、印刷装置１０２、１０３の概略構成を示すブロック図である。
【００３２】
図３において、３０１はＣＰＵ（セントラルプロセッシングユニット）であり、ＲＯＭ（リードオンリメモリ）３０７に格納された制御プログラムに基づいてＣＰＵデバイスに接続された各デバイスを制御する。３０２は表示装置であり、その表示画面には、例えばウインドウ、アイコン、メッセージ、メニューその他のユーザインターフェース情報が表示される。３０３はＶＲＡＭ（ビデオランダムアクセスメモリ）であり、表示装置３０２に表示するための画像が描画される。このＶＲＡＭ３０３に生成された画像データは、所定の規定に従って表示装置３０２に転送され、これにより表示装置３０２に画像が表示される。３０４は入力デバイスであり、印刷枚数など指定する各種キーや、表示装置３０２に表示されたアイコン、メニューその他のオブジェクトを指示する画面ポインティングデバイスを示す。３０５はスキャン部であり、コピー原稿の読み取りを行う。３０６は印刷部であり、ＲＡＭ（ランダムアクセスメモリ）３０８やＨＤＤ（ハードディスクドライブ）３０９に保存した印刷データの印刷を行う。３０７はＲＯＭであり、各種の制御プログラムやデータを保持する。３０８はＲＡＭでありＣＰＵ３０１のワーク領域、エラー処理時のデータの退避領域、制御プログラムのロード領域等を有する。３０９は内部記録装置としてのＨＤＤであり、各種制御プログラムや印刷データを保存する。３１０は外部記録Ｉ／Ｆであり、記録媒体３１１への読み書きを行う装置である。記録媒体３１１はＵＳＢメモリなど着脱可能な記録媒体である。３１２はネットワーク・インターフェース（Ｎｅｔ−Ｉ／Ｆ）であり、他の情報処理装置やプリンタ等とネットワーク３１４を介して通信を行うことができる。３１３はＣＰＵバスであり、アドレスバス、データバス及びコントロールバスを含む。ＣＰＵ３０１に対する制御プログラムの提供は、ＲＯＭ３０７から行う。
【００３３】
図４は、印刷装置１０２、および印刷装置１０３の断面図を示したものである。
【００３４】
図４において、４０１はイメージスキャナー部であり、原稿を読み取り、ディジタル信号処理を行う部分である（イメージスキャナー部４０１は、図３のスキャン部３０５と同様）。
【００３５】
また、４０２はプリンタ部であり、イメージスキャナー４０１によって読み取られた原稿画像に対応した画像を用紙にフルカラーでプリント出力する部分である（プリンタ部４０２は、図３の印刷部３０６と同様）。
【００３６】
イメージスキャナー４０１において、４００は鏡面圧板であり原稿台ガラス（以下プラテン）４０３上の原稿４０４はランプ４０５で照射される。そして、ミラー４０６、４０７、４０８に導かれ、レンズ４０９によって、３ラインの個体撮像素子センサ（以下ＣＣＤ）４１０上に像を結ぶ。ＣＣＤ４１０に結像した、フルカラー情報としてのレッド（Ｒ），グリーン（Ｇ），ブルー（Ｂ）の３つの画像信号は、信号処理部４１１に送られる。
【００３７】
なお、４０５、４０６は速度ｖで、４０７、４０８は速度１／２ｖでラインセンサの電気的走査（主走査）方向に対して垂直方向に機械的に動くことによって、原稿全面を走査（副走査）する。ここで、原稿４０４は、主走査および副走査ともに６００ｄｐｉ（ｄｏｔｓ／ｉｎｃｈ）の解像度で読みとられる。読み取られた画像信号は原稿１ページ分の単位で４１１の内部のデータ蓄積手段に蓄積される。また、情報処理装置１０１からＰＤＬなどの印刷データを受信した場合は、印刷データをレンダリングした後、４１１の内部のデータ蓄積手段にされる（データ蓄積手段４１１は、図３の内部記録装置３０９と同様）。
【００３８】
信号処理部４１１においては、内部に蓄積された画像信号を画素単位で電気的に処理し、マゼンタ（Ｍ），シアン（Ｃ），イエロ（Ｙ），ブラック（Ｂｋ）の各成分に分解し、プリンタ部４０２に送る。また、４１１の内部には透明パターン生成部があり、透明画像データ（ＣＬ）を画素単位で生成し同じく４０２へ送出する。
【００３９】
送出されたＭ、Ｃ、Ｙ、Ｂｋ、ＣＬの画像信号がレーザードライバー４１２に送られる。レーザードライバー４１２は、送られてきた画像信号に応じ、半導体レーザー４１３を変調駆動する。レーザー光は、ポリゴンミラー４１４、ｆ−θレンズ４１５、ミラー４１６を介し、感光ドラム４１７上を走査する。ここで、読取と同様に主走査および副走査ともに６００ｄｐｉ（ｄｏｔｓ／ｉｎｃｈ）の解像度で書込まれる。
【００４０】
４１８は回転現像器であり、マゼンタ現像部４１９、シアン現像部４２０、イエロ現像部４２１、ブラック現像部４２２、クリア（透明）現像部４２３より構成される。この５つの現像部は、交互に感光ドラム４１７に接し、感光ドラム上に形成された静電現像を各色のトナーで現像する。４２４は転写ドラムであり、用紙カセット４２５または４２６より供給される用紙をこの転写ドラム４２４に巻き付け、感光ドラム上に現像された像を用紙に転写する。
【００４１】
この様にして、Ｍ，Ｃ，Ｙ，Ｂｋおよびクリア（透明）の５色が順次転写された後に、用紙は、定着ユニット４２７を通過して、トナーが用紙に定着された後に排紙される。
【００４２】
なお、クリアトナーを使い光沢感を出したい印刷物を出力する場合は、定着ユニット４２７を通常温度（１８０〜１９０度）よりも４０度ほど低下させる必要がある。以後、この状態をグロッサモードと呼ぶ。
【００４３】
ＲＯＭ３０７に格納された制御プログラムにより、定着ユニット４２７がグロッサモードに移行するように指示されると、定着ユニット４２７は、通常温度（１８０〜１９０度）を保持するのを停止する。そして、自然放熱により、低定着温度（１４０〜１５０度）になったことを確認すると、低定着温度を保持する。逆に、ＲＯＭ３０７に格納された制御プログラムにより、定着ユニット４２７が通常状態へ移行するように指示されると、定着ユニット４２７は、通常温度にまで加熱し、その後、通常温度を保持する。
【００４４】
また、通常状態とグロッサモードの切り替えは印刷装置により自動的に行われる。たとえば、情報処理装置１０１から印刷データを受信時、ＲＯＭ３０７に格納された制御プログラムは、グロッサ用紙を用いて印刷する必要があると判定すると、自動的にグロッサモードへ移行する。逆に、グロッサ用紙を用いて印刷する必要がないと判定すると、自動的に通常状態へ移行する。
【００４５】
図５は、情報処理装置１０１に表示されるプリンタドライバ基本画面である。
【００４６】
図５において、５０１はドライバの各種設定をグループ化したタブであり、「一般」、「ジョブ情報」、「メディア」、「レイアウト」、「仕上げ」の５種類により構成される。また、５０２は、５０１で選択したタブの内容を表示する領域である。５０２では、「一般」の内容として、部数、両面印刷、Ｎ−ｕｐレイアウト、用紙トレイ、ソート、ステイプルの設定が表示されている。
【００４７】
なお、５０１の各種タブの内容については、以下のとおりである。「一般」は、他４種のタブ内の設定からよく利用される設定をまとめたグループである。また、「ジョブ情報」は、印刷ジョブ全体に関連する設定をまとめたグループである。たとえば、５０２では印刷部数が該当する。「メディア」は、印刷用紙に関する設定をまとめたグループである。たとえば、５０２では用紙トレイが該当する。なお、「メディア」については、図６で詳細を説明する。「レイアウト」は、印刷レイアウトに関する設定をまとめたグループである。たとえば、５０２では両面印刷やＮ−ｕｐレイアウトが該当する。「仕上げ」は、印刷物の仕上げに関する設定をまとめたものである。たとえば、５０２ではソートやステイプルの設定が該当する。
【００４８】
５０３は、ＯＫボタンであり、プリンタドライバ画面で設定した内容を反映するボタンである。なお、ＯＫボタン押下後、プリンタドライバ画面は閉じられる。
【００４９】
５０４は、キャンセルボタンであり、プリンタドライバ画面で設定した内容を反映せずに破棄するボタンである。なお、キヤンセルボタン押下後、プリンタドライバ画面は閉じられる。
【００５０】
５０５は、適用ボタンであり、プリンタドライバ画面で設定した内容を保存するボタンである。なお、適用ボタン押下後は、プリンタ画面は閉じられず、継続して各種設定を行うことができる。
【００５１】
５０６は、ヘルプボタンであり、プリンタドライバ画面の各種設定について、オンラインヘルプを表示するボタンである。
【００５２】
図６は、プリンタドライバのメディア設定画面である。
【００５３】
６０１は、プリントジョブ全体の用紙種類を設定するプルダウンメニューである。たとえば、自動選択、普通紙、厚紙、グロッサ用紙などが表示される。用紙種類６０１が設定された場合、プリントジョブの全ページが、指定された用紙を使って印刷される。ここで、グロッサ用紙とは、クリアトナーで印刷後、グロッサを用いる印刷に利用するための専用用紙種類である。したがって、グロッサを用いる場合には、かならずグロッサ用紙を選択する必要がある。
【００５４】
６０２は、プリントジョブ全体の用紙トレイを設定するプルダウンメニューである。たとえば、自動選択、カセット、手指しなどが表示される。用紙トレイ６０２が設定された場合、プリントジョブの全ページが、指定された用紙トレイを使って印刷される。なお、用紙種類６０１と用紙トレイ６０２は背反設定である。
【００５５】
６０３は、プリントジョブ全体の印刷用紙サイズである。たとえば、Ａ３，Ａ４，Ｂ４，Ｂ５、ＬＴＲなどが表示される。プリントジョブの全ページは、用紙サイズ６０３で指定された用紙サイズで印刷される。
【００５６】
６０４は、用紙の混合設定ボタンである。本設定は、プリントジョブ全体を同じ用紙種類、用紙サイズ、用紙トレイで印刷したくない場合に本設定を利用する。用紙の混合については、図７で詳しく説明する。
【００５７】
６０５は、ＯＫボタンであり、プリンタドライバ画面で設定した内容を反映するボタンである。なお、ＯＫボタン押下後、プリンタドライバ画面は閉じられる。
【００５８】
６０６は、キャンセルボタンであり、プリンタドライバ画面で設定した内容を反映せずに破棄するボタンである。なお、キヤンセルボタン押下後、プリンタドライバ画面は閉じられる。
【００５９】
６０７は、適用ボタンであり、プリンタドライバ画面で設定した内容を保存するボタンである。なお、適用ボタン押下後は、プリンタ画面は閉じられず、継続して各種設定を行うことができる。
【００６０】
６０８は、ヘルプボタンであり、プリンタドライバ画面の各種設定について、オンラインヘルプを表示するボタンである。
【００６１】
図７は、用紙の混合設定画面である。
【００６２】
図７において、７０１は、設定済の用紙の混合設定を表示する部分である。７０１においては、電子原稿の本文、２ページ目、３ページ目、５ページ目のそれぞれに、図６で説明した各種メディア設定（用紙の種類、用紙トレイ、用紙サイズ）が行われている。
【００６３】
７０２は、ページ範囲定義の設定ボタンである。ページ範囲定義の設定ボタン７０２押下後の設定が、用紙の混合設定表示部７０１に反映される。本ボタン押下後の設定は、図８にて詳細を説明する。
【００６４】
７０３は、用紙の混合設定の編集ボタンである。用紙の混合設定表示部７０１から一つを選択し、編集ボタン７０３を押下することで、設定を編集することができる。
【００６５】
７０４は、用紙の混合設定の削除ボタンである。用紙の混合設定表示部７０１から一つを選択し、削除ボタン７０３を押下することで、設定を削除することができる。
【００６６】
７０５は、ＯＫボタンである。ＯＫボタン７０５を押下すると、用紙の混合設定表示部７０１を保存し、図６のメディア設定画面に戻る。
【００６７】
７０６は、キャンセルボタンである。キャンセルボタン７０６を押下すると、用紙の混合設定表示部７０１を破棄し、図６のメディア設定画面に戻る。
【００６８】
図８は、ページ範囲定義の設定画面である。
【００６９】
８０１は、ページ範囲の設定ボックスである。ページ範囲の設定ボックス８０１で指定したページに、用紙種類８０２、用紙トレイ８０３、用紙サイズ８０４が設定される。
【００７０】
８０２は、用紙種類を設定するプルダウンメニューである。たとえば、自動選択、普通紙、厚紙、グロッサ用紙などが表示される。
【００７１】
８０３は、用紙トレイを設定するプルダウンメニューである。たとえば、自動選択、カセット、手指しなどが表示される。用紙種類８０２と用紙トレイ８０３は背反設定である。
【００７２】
８０４は、印刷用紙サイズである。たとえば、Ａ３，Ａ４，Ｂ４，Ｂ５、ＬＴＲなどが表示される。ページ範囲の設定ボックスで指定されたページが、用紙サイズ８０４で指定された用紙サイズで印刷される。
【００７３】
８０５は、ＯＫボタンである。ＯＫボタン８０５を押下すると、ページ範囲定義の設定を保存し、図７の用紙の混合設定画面に戻る。
【００７４】
８０６は、キャンセルボタンである。キャンセルボタン８０６を押下すると、ページ範囲定義の設定を破棄し、図７の用紙の混合設定画面に戻る。
【００７５】
図９は、情報処理装置１０１に表示される印刷装置の定着温度設定画面である。図９において、印刷装置が待機状態になった時の定着温度を設定する画面である。ここで待機状態とは、一定時間、１つの印刷ジョブも実行していないような印刷待ち状態を表す。
【００７６】
９０１は、待機時の定着温度設定項目である。待機時の定着温度設定項目は、「印刷装置毎の設定を行う」、「省電力モード（すべての印刷装置で定着温度低）」、「混在モード（定着温度高と定着温度低を混在させる）」の３つの選択肢から一つを選ぶことができる。
【００７７】
また、９０２は、印刷装置毎の設定である。印刷装置毎の設定９０２は、それぞれの印刷装置について、定着温度高もしくは定着温度低で待機するかを選択できる。なお、本実施例では、印刷装置が２つであるため、印刷装置１０２と印刷装置１０３の２つが表示されている。
【００７８】
９０３は、ＯＫボタンである。ＯＫボタン９０３を押下すると、印刷装置の定着温度設定を保存して、画面を閉じる。
【００７９】
９０４は、キャンセルボタンである。キャンセルボタン９０４を押下すると、印刷装置の定着温度設定を破棄し、画面を閉じる。
【００８０】
図１０は、ジョブ情報ツリーを示したものである。
【００８１】
ジョブ情報ツリーは、文書構成をツリー構造で表現したデータ概念図である。ジョブ情報ツリーは５層構造で構成されており、印刷装置で処理されるジョブは、すべてジョブ情報ツリーの形で構造的に表すことができる。
【００８２】
第１層はＪｏｂＲｅｃｏｒｄであり、ジョブ全体に関する情報を表す。たとえば、プリントやＦＡＸと言ったジョブ種別などが所属する。
【００８３】
第２層は、ＢｉｎｄｅｒＲｅｃｏｒｄであり、ジョブに含まれるデータを文書（Ｄｏｃｕｍｅｎｔ）単位で管理するものである。図１０には図示していないが、１つのＢｉｎｄｅｒＲｅｃｏｒｄの中に、複数のＤｏｃｕｍｅｎｔＲｅｃｏｒｄを保持可能である。
【００８４】
第３層はＤｏｃｕｍｅｎｔＲｅｃｏｒｄであり、ジョブに含まれるデータをページ単位で管理するものである。図１０に示すように、１つのＤｏｃｕｍｅｎｔＲｅｃｏｒｄの中に、複数のＰａｇｅＲｅｃｏｒｄを保持可能である。
【００８５】
第４層はＰａｇｅＲｅｃｏｒｄであり、ページ情報を管理するために、用紙種類、紙サイズ、解像度と言ったページ毎の情報を保持している。たとえば、図６〜図８で指定したメディアの情報は、ＰａｇｅＲｅｃｏｒｄに属している。
【００８６】
第５層は、テキストデータもしくは画像データなどの印刷データである。
【００８７】
図１１は、図９で設定された印刷装置の定着温度設定に従って、定着温度を決定するフローチャートである。
【００８８】
一定の待機時間を経過した印刷装置は、待機時の定着温度を決定するために、情報処理装置１０１に問い合わせる。問い合わせを受けた情報処理装置１０１は、Ｓ１１０１にて、印刷装置毎の定着温度が設定されているか否かを確認する。設定されていた場合は、Ｓ１１０２にて、設定通りの定着温度で印刷装置を待機させる。
【００８９】
次に、印刷装置毎の定着温度が設定されていない場合は、Ｓ１１０３にて、省電力モードで設定されているか否かを確認する。省電力モードで設定されていた場合は、Ｓ１１０４にて、定着温度低で印刷装置を待機させる。
【００９０】
次に、省電力モードで設定されていない場合は、混在モードであるので、Ｓ１１０５にて、他印刷装置の定着温度状態を取得する。続いて、Ｓ１１０６にて、他印刷装置が待機状態になっているか否かを判定し、１台も待機状態になっていない場合は、Ｓ１１０４に進み、定着温度低で印刷装置を待機させる。また、既に待機状態になっている印刷装置がある場合は、Ｓ１１０７へ進む。
【００９１】
次に、Ｓ１１０７にて、待機状態になっている印刷装置のうち、定着温度低の状態の台数が少なければ、Ｓ１１０４に進み、定着温度低で印刷装置を待機させる。そうでなえければ、Ｓ１１０８にて、定着温度高で印刷装置を待機させる。
【００９２】
図１２は、情報処理装置１０１にて実行される印刷ジョブの振り分けフローチャートである。
【００９３】
まず、Ｓ１２０１にて、ユーザは印刷するジョブの設定を行う。たとえば、電子文書を普通紙に印刷する場合には、図６における、用紙種類６０１にてプルダウンメニューから普通紙を選択し、ＯＫボタン６０５を押下する。
【００９４】
なお、クリアトナーを用いて光沢感のある印刷物を生成する場合には、図６における、用紙種類６０１にてグロッサ用紙を選択し、ＯＫボタン６０５を押下する。こうすることで印刷物の全ページに対してクリアトナーを塗布した印刷物が生成できる。さらに、印刷物のページ単位でクリアトナーを用いて光沢感のある印刷物を生成することもできる。具体的には、１０ページの電子文書に対して、３ページ目と５ページ目だけを光沢感ある印刷物にしたい場合、図８における、ページ範囲設定８０１にて３ページ目と５ページ目を指定する。そして、図８における、用紙種類８０２にてグロッサ用紙を選択する。そうすることで、図７における、用紙の混合設定表示７０１に、３ページ目と５ページ目にグロッサ用紙を使って印刷することが表示される。
【００９５】
このように、クリアトナーを用いて光沢感ある印刷物を生成する場合は、印刷物の用紙種類としてグロッサ用紙を選択することで設定される。
【００９６】
次に、ユーザは、Ｓ１２０２にて、電子文書を編集したアプリケーションからプリントジョブ投入を行う。続いて、Ｓ１２０３にて、情報処理装置１０１０は、ジョブ情報ツリー（図１０）のＰａｇｅＲｅｃｏｒｄ情報毎に、印刷用紙の種類としてグロッサ用紙が設定されているかをチェックする。そうすることで、低定着温度を必要とするジョブか否かを判定する。なお、判定方法の詳細は、図１３に記載する。
【００９７】
次に、情報処理装置１０１は、Ｓ１２０４にて、印刷装置１０２と印刷装置１０３の印刷キューから最終ジョブのジョブ情報を取得する。そして、その最終ジョブ情報のＰａｇｅＲｅｃｏｒｄ情報毎に、印刷用紙の種類としてグロッサ用紙が設定されているかをチェックする。そうすることで、印刷キューの最終ジョブが低定着温度を必要とするジョブか否かを判定する。なお、判定方法の詳細は、図１４、図１５に記載する。
【００９８】
次に、情報処理装置１０１は、Ｓ１２０５にて、Ｓ１２０２にて投入されたプリントジョブに必要な定着温度条件と、印刷装置１０２と印刷装置１０３の最終ジョブに必要な定着温度条件を比較する。そして、同じ定着温度を必要とする最終ジョブが入っている印刷装置へジョブを送信する。なお、決定方法の詳細は、図１６、図１７に記載する。
【００９９】
図１３は、Ｓ１２０３での印刷ジョブの低定着温度判定処理の詳細を記載したものである。
【０１００】
まず、Ｓ１３０１にて、変数Ｔを１で初期化する。変数Ｔは、ジョブが低定着温度を必要とするか否かを保存する変数である。続いて、Ｓ１３０２にて、変数ｎを０で初期化する。変数ｎはページ番号であり、ＰａｇｅＲｅｃｏｒｄ情報にグロッサ用紙が設定されているかを調査するために利用する。次に、Ｓ１３０３にて、変数ｎに１を加えた数字を代入する。
【０１０１】
次に、Ｓ１３０４にて、ｎページ目のＰａｇｅＲｅｃｏｒｄ情報を参照し、印刷用紙としてグロッサ用紙が設定されているか否かを判定する。もし、グロッサ用紙が設定されていた場合は、Ｓ１３０５にて、変数Ｔに２を代入し、Ｓ１３０７の処理を行う。
【０１０２】
また、グロッサ用紙が設定されていなかった場合は、Ｓ１３０６にて、全印刷ページのチェックが完了したかを判定し、チェックが終わっていなかった場合は、Ｓ１３０３の処理へ戻る。チェックが終わっていれば、Ｓ１３０７の処理を行う。
【０１０３】
Ｓ１３０７では、変数Ｔの値を解析テーブルへ記録する。なお、解析テーブルについては、図１６にて詳細を説明する。
【０１０４】
本処理では、最終的に、低定着温度が必要である印刷ジョブと判定されれば、解析テーブルへ２（＝０ｘ０２）が記録され、低定着温度が必要でなければ、解析テーブルへ１（＝０ｘ０１）が記録されて処理が終了する。
【０１０５】
図１４は、Ｓ１２０４での印刷装置のジョブ確認処理の詳細を記載したものである。
【０１０６】
まず、Ｓ１４０１にて、変数ｘを０で初期化する。変数ｘは、Ｓ１４０２〜Ｓ１４１０の処理をすべての印刷装置で行うためのループ用フラグの役割を果たしている。本実施例では、印刷装置は２台存在する。そこで、印刷装置１とは印刷装置１０２を表し、印刷装置２とは印刷装置１０３を表すものとして以後のフローチャートを説明する。
【０１０７】
続いて、Ｓ１４０２にて、変数ｘに１を加えた数字を代入する。次に、Ｓ１４０３にて、印刷装置ｘに実行中のプリントジョブが存在するかどうかをチェックする。もし、実行中のプリントジョブが存在しない場合は、Ｓ１４０４の処理を行い、実行中のプリントジョブが存在する場合は、Ｓ１４０６の処理を行う。
【０１０８】
Ｓ１４０４では、実行中のプリントジョブが存在しないので、印刷装置から現在の定着温度を取得する。その結果、Ｓ１４０５にて、低定着温度でなければ解析テーブルに１７（＝０ｘ１１）を書き込み、低定着温度状態であれば解析テーブルに１８（＝０ｘ１２）を書き込む。
【０１０９】
Ｓ１４０６では、実行中のプリントジョブが存在するので、印刷装置ｘの印刷キューからジョブリストを取得する。そして、Ｓ１４０７にて、ジョブリストから最終ジョブを取得し、さらに、Ｓ１４０８にて、最終ジョブのジョブ情報として、ジョブ情報ツリー（図１０）を取得する。
【０１１０】
続いて、Ｓ１４０９にて、最終ジョブが低定着温度を必要としているジョブか否かを判定する。本処理の詳細は図１５にて説明する。
【０１１１】
次に、Ｓ１４１０にて、すべての印刷装置に対してジョブ確認を行ったか否かを判定し、判定していない印刷装置があればＳ１４０２に戻る。また、すべての印刷装置に対して処理が完了すれば、本処理を終了する。
【０１１２】
本処理では、印刷装置に実行中の印刷ジョブが存在しない場合、印刷装置が低定着温度であれば、解析テーブルへ１８（＝０ｘ１２）が記録され、低定着温度でなければ、解析テーブルへ１７（＝０ｘ１１）が記録されて処理が終了する。
【０１１３】
図１５は、Ｓ１４０９での最終ジョブの低定着温度判定処理の詳細を記載したものである。本処理の目的は、印刷済みのページについては、低定着温度を必要とするジョブか否かの判定を行わないことである。
【０１１４】
まず、Ｓ１５０１にて、変数Ｔを１で初期化する。変数Ｔは、ジョブが低定着温度を必要とするか否かを保存する変数である。続いて、Ｓ１５０２にて、変数ｎを０で初期化する。変数ｎはページ番号であり、ＰａｇｅＲｅｃｏｒｄ情報にグロッサ用紙が設定されているかを調査するために利用する。次に、Ｓ１５０３にて、変数ｎに１を加えた数字を代入する。
【０１１５】
次に、Ｓ１５０４にて、ｎページ目のＰａｇｅＲｅｃｏｒｄ情報を参照し、印刷用紙としてグロッサ用紙が設定されているか否かを判定する。もし、グロッサ用紙が設定されていた場合は、Ｓ１５０５にて、変数Ｔに２を代入し、Ｓ１５０７の処理を行う。
【０１１６】
また、グロッサ用紙が設定されていなかった場合は、Ｓ１５０６にて、すべての未印刷ページのチェックが完了したかを判定し、チェックが終わっていなかった場合は、Ｓ１５０３の処理へ戻る。チェックが終わっていれば、Ｓ１５０７の処理を行う。
【０１１７】
Ｓ１５０７では、変数Ｔの値を解析テーブルへ記録する。なお、解析テーブルについては、図１６にて詳細を説明する。
【０１１８】
本処理では、最終的に、低定着温度が必要である印刷ジョブと判定されれば、解析テーブルへ２（＝０ｘ０２）が記録され、低定着温度が必要でなければ、解析テーブルへ１（＝０ｘ０１）が記録されて処理が終了する。
【０１１９】
図１６は、解析テーブルを表したものである。
【０１２０】
解析テーブルは、Ｓ１２０３とＳ１２０４の処理を通して行うことにより、生成を完了する。
【０１２１】
図１６には、印刷ジョブ、印刷装置１０２、印刷装置１０３のそれぞれについて定着温度判定を行った結果が記載される。
【０１２２】
まず、印刷ジョブについては、図１３の処理を行った結果が記録されている。低定着温度が必要である印刷ジョブであれば２（＝０ｘ０２）が記録され、低定着温度が必要でなければ（＝０ｘ０１）が記録されている。
【０１２３】
また、印刷装置１０２と印刷装置１０３については、図１４、図１５の処理を行った結果が記録されている。まず、印刷装置に実行中のプリントジョブが無い場合、印刷装置が低定着温度であれば１８（＝０ｘ１２）が記録され、低定着温度でなければ１７（＝０ｘ１１）が記録されている。そして、印刷装置に実行中のプリントジョブがある場合は、印刷キューの最終ジョブが低定着温度を必要としていれば、２（＝０ｘ０２）が記録され、低定着温度が必要でなければ（＝０ｘ０１）が記録される。
【０１２４】
以上から、解析テーブルの定着温度欄には、下位２バイト目にはプリンタの空き状況、下位１バイト目には低定着温度か否かの情報が表現されている。
【０１２５】
次に、図１７を使って、解析テーブルを用いたジョブの振り分け先決定処理を説明する。
【０１２６】
図１７は、Ｓ１２０５のジョブ振り分け先決定処理の詳細を記載したものである。
【０１２７】
まず、Ｓ１７０１にて、図１６の解析テーブルから解析結果を読み出す。次に、Ｓ１７０２にて、実行中の印刷ジョブが無い印刷装置があるか否かを判定する。この判定は印刷装置１０２と印刷装置１０３の定着温度欄の下位２バイト目が１であれば、実行中の印刷ジョブが無い（空き状態）と判定できる。もし、実行中の印刷ジョブが無い（空き状態）と判定されれば、Ｓ１７０３に進み、空き状態の印刷装置へ印刷ジョブを送信する。逆に、空き状態の印刷装置がなければ、Ｓ１７０４へ進む。
【０１２８】
次に、Ｓ１７０４にて、振り分けるべき印刷ジョブが必要とする定着温度と印刷装置１０２と印刷装置１０３の印刷キューの最後に登録されている最終ジョブが必要とする定着温度を比較し、この比較結果により同じ定着温度である印刷装置があるか否かを判定する。この判定は、印刷ジョブの定着温度欄の下位１バイト目と、印刷装置１０２と印刷装置１０３の定着温度欄の下位１バイト目を比較することで判定できる。
【０１２９】
もし、同一定着温度の印刷装置があれば、Ｓ１７０５に進み、同一定着温度の印刷装置を振り分け先として決定し、該印刷装置へ印刷ジョブを送信する。逆に、同一定着温度の印刷装置がなければ、Ｓ１７０６へ進む。
【０１３０】
次に、Ｓ１７０６にて、各印刷装置の印刷キューに溜まっているジョブの数を調査し、ジョブの少ない印刷装置へ印刷ジョブを送信する。
【０１３１】
図１８〜図２０は、本発明の効果を説明する図である。
【０１３２】
図１８は、低定着温度を必要とするジョブが通常のジョブと混在している例である。
【０１３３】
情報処理装置１０１からジョブ１〜ジョブ４の順番で文書の印刷を行うものとし、その中でもジョブ１とジョブ４は通常のジョブであり、ジョブ２とジョブ３は低定着温度を必要とするジョブである。
【０１３４】
図１９（Ａ）と図１９（Ｂ）は、印刷装置１０２が低定着温度状態（グロッサモード）で待機しており、印刷装置１０３が通常状態で待機していたときに、図１８のジョブを振り分けた例である。図１９（Ａ）は、本発明の効果を分かりやすく比較するために、ジョブを印刷装置１０２と印刷装置１０３とに循環振り分けした場合の例を記載している。
【０１３５】
図１９（Ｂ）を見ると分かるように、本実施例の振り分けを利用すると、低定着温度を必要とするジョブが、印刷装置１０２にまとめられている。
【０１３６】
図２０（Ａ−１）と図２０（Ａ−２）は、図１９（Ａ）の場合における、印刷装置１０２と印刷装置１０３の温度変化と時間推移を図示したものである。
図２０（Ａ−１）と図２０（Ａ−２）から分かるように、低定着温度（グロッサモード）と通常状態に切り替えながら印刷を実行している。
【０１３７】
図２０（Ｂ−１）と図２０（Ｂ−２）は、図１９（Ｂ）の場合における、印刷装置１０２と印刷装置１０３の温度変化と時間推移を図示したものである。
【０１３８】
図２０（Ｂ−１）と図２０（Ｂ−２）から分かるように、低定着温度（グロッサモード）と通常状態との切り替えが発生していない。そのため、図２０（Ａ−１）と図２０（Ａ−２）と比較して印刷のトータル時間が短くなっている。また、低定着温度（グロッサモード）から通常状態への温度上昇を行わなくても良いため、省エネルギーの効果がある。
【０１３９】
さらに、図９において省電力モードを設定すれば、印刷装置１０２および印刷装置１０３は、共に低定着温度（グロッサモード）のまま待機を行う。そのため、定着ユニット４２７を低温で保持したまま待機しているので、通常状態で待機しつづけるよりもさらに省エネルギーの効果が得られる。
【０１４０】
以上、本実施例ではグロッサを用いて光沢感のある印刷物を生成する例を挙げたが、印刷装置にて定着温度が異なるジョブを振り分ける場合であれば、本発明は適用可能である。
【０１４１】
また、本実施例では、印刷ジョブを送信するクライアントＰＣがジョブの振り分けを行ったが、ジョブの振り分け専用サーバを設置する、もしくはプリンタコントローラ自体ジョブを振り分けても本発明は適用可能である。
【図面の簡単な説明】
【０１４２】
【図１】本発明の実施形態におけるシステム構成図
【図２】印刷装置のブロック構成図
【図３】情報処理装置のブロック構成図
【図４】印刷装置の断面図
【図５】プリンタドライバ基本画面
【図６】プリンタドライバのメディア設定画面
【図７】用紙の混合設定画面
【図８】ページ範囲定義設定画面
【図９】定着温度設定画面
【図１０】ジョブ情報ツリー
【図１１】印刷装置待機時の定着温度決定のフローチャート
【図１２】印刷ジョブの振り分けのフローチャート
【図１３】印刷ジョブの低定着温度判定処理のフローチャート
【図１４】印刷装置のジョブ確認処理のフローチャート
【図１５】最終ジョブの低定着温度判定処理のフローチャート
【図１６】解析テーブル
【図１７】ジョブ振り分け先決定処理のフローチャート
【図１８】低定着温度ジョブ混在の例
【図１９】プリンタ毎の印刷キューの順序
【図２０】印刷装置の温度変化
【符号の説明】
【０１４３】
１０１  情報処理装置
１０２  印刷装置
１０３  印刷装置
１０４  ネットワーク
１０５  グロッサ
【図１】
0005053822.tif 000002
【図２】
0005053822.tif 000003
【図３】
0005053822.tif 000004
【図４】
0005053822.tif 000005
【図５】
0005053822.tif 000006
【図６】
0005053822.tif 000007
【図７】
0005053822.tif 000008
【図８】
0005053822.tif 000009
【図９】
0005053822.tif 000010
【図１０】
0005053822.tif 000011
【図１１】
0005053822.tif 000012
【図１２】
0005053822.tif 000013
【図１３】
0005053822.tif 000014
【図１４】
0005053822.tif 000015
【図１５】
0005053822.tif 000016
【図１６】
0005053822.tif 000017
【図１７】
0005053822.tif 000018
【図１８】
0005053822.tif 000019
【図１９】
0005053822.tif 000020
【図２０】
0005053822.tif 000021